(57)【要約】【課題】構成の簡素化と低コスト化を図りつつ美観を向上させる上で有利な監視カメラ装置を提供する。【解決手段】監視カメラ１２がカメラ側取付金具２２と天井側取付金具１６を介して天井１４に設置された状態で、天井１４とケース２０の下端との間の隙間が合成樹脂製のカバー３８によって閉塞されている。カバー３８は合成樹脂製で、帯状を呈し均一の幅で円弧状に延在している。カバー３８は、円弧部３８０２と、円弧部３８０２の両端からそれぞれ直線状に延在する直線部３８０４とを有し、各直線部３８０４の先端には、天井側取付金具１６の係止片１６２２に係脱可能な係止壁３８１０が形成されている。各直線部３８０４には、天井側取付金具１６の基板部１６０２の係止用欠部１６２４に係脱可能な係止爪３８１４が形成されている。【選択図】図１
2007166312.tif 000002
【特許請求の範囲】
【請求項１】
カメラ本体と、前記カメラ本体の底部を除く箇所を覆う合成樹脂製のケースと、前記カメラ本体の底部に取着されたカメラ側取付金具とを有する監視カメラと、
天井に取着される天井側取付金具を備え、
前記カメラ側取付金具および前記天井側取付金具を介して前記底部を天井に向けて前記監視カメラが設置される監視カメラ装置であって、
前記カメラ側取付金具は、前記カメラ本体の底部に取着される基板部と、前記基板部の外周部の周方向に間隔をおいた複数個所から屈曲し前記監視カメラのケースの下端よりも下方に突出する複数の取り付け片とを備え、
前記天井側取付金具は、天井に取着される基板部と、前記基板部の外周部の周方向に間隔をおいた複数個所から屈曲し下方に突出する複数の取り付け片とを備え、
前記カメラ側取付金具の複数の取り付け片と前記天井側取付金具の複数の取り付け片とがそれぞれねじで固定されて前記底部を天井に向けて前記監視カメラが天井に設置され、
前記監視カメラが天井に設置された状態で、前記ケースの下端に沿って延在し前記天井と前記ケースの下端との間の隙間を閉塞する弾性変形可能な合成樹脂製の帯状のカバーが設けられ、
前記カバーに前記天井側取付金具あるいは前記監視カメラに係脱可能に結合する係合部が設けられている、
ことを特徴とする監視カメラ装置。
【請求項２】
前記係合部は、前記カバーの延在方向の両端にそれぞれ設けられていることを特徴とする請求項１記載の監視カメラ装置。
【請求項３】
前記カバーの内面で該カバーの延在方向に間隔をおいた複数箇所に、前記カメラ側取付金具の複数の取り付け片または前記天井側取付金具の複数の取り付け片にそれぞれ係合可能で前記取り付け片に係合することで前記カバーの延在方向における位置決めがなされる複数の凹部が設けられていることを特徴とする請求項１記載の監視カメラ装置。
【請求項４】
前記カバーは均一の幅で延在し、前記カバーの幅方向の一方の端部の内面に、下向きの当接面が前記カバーの延在方向に沿って延在形成され、前記当接面はその全長にわたり前記ケースの下端に当接されていることを特徴とする請求項１記載の監視カメラ装置。
【請求項５】
前記カバーは均一の幅で延在し、前記カバーの幅方向の一方の端部の内面に、該カバーの延在方向に沿って下向きの当接面が形成され、前記当接面はその全長に渡り前記ケースの下端に当接され、前記カバーの幅方向の他方の端部は、その全長にわたり前記天井側取付金具の基板部の外周縁に当接されていることを特徴とする請求項１記載の監視カメラ装置。
【請求項６】
前記ケースの下部は前記カメラ本体の制御を司る制御部を収容する制御部収容ケースと、前記制御部収容ケースから突出しケーブルを収容するケーブル収容ケースとを備え、
前記カメラ側取付金具は前記制御部収容ケースの内側に位置し、
前記ケーブル収容ケースの下端は制御部収容ケースの下端よりも下方に突出して前記監視カメラが天井に設置された状態で前記ケーブル収容ケースの下端は前記天井に近接又は接触し、
前記カバーは、ケーブル収容ケースが突出された箇所を除く前記制御部収容ケースの下端周囲と前記天井との間の隙間を閉塞する円弧状を呈している、
ことを特徴とする請求項１記載の監視カメラ装置。
【発明の詳細な説明】
【技術分野】
【０００１】
本発明は監視カメラ装置に関する。
【背景技術】
【０００２】
天井に設置される監視カメラ装置として、カメラ本体と、カメラ本体の底部を除く箇所を覆う合成樹脂製のケースと備えた監視カメラを有するものが提供されている（特許文献１参照）。
このような監視カメラ装置では、監視カメラを天井に設置する際、多くの場合、カメラ本体の底部に取着されたカメラ側取付金具を、天井に取着される天井側取付金具にねじによって締結している。
ところで、カメラ側取付金具と天井側取付金具とがねじで締結される部分がそのまま見えたのでは美観上好ましくないため、ねじで締結される部分を隠し、この隠した部分をケースと同様の外観を呈するように形成する必要がある。
そのため、従来は、ねじで締結される部分を隠す壁部として、円板状のカメラ側取付金具または天井側取付金具の全周に円筒壁を屈曲形成し、この円筒壁が外方に臨む箇所に塗装を施していた。
【特許文献１】特開２００５−２０３９０７号公報
【発明の開示】
【発明が解決しようとする課題】
【０００３】
したがって、上述した従来の監視カメラ装置では、円筒壁を有するカメラ側取付金具あるいは天井側取付金具の加工が面倒になるとともに、塗装が必要となるため、製造コストを削減する上で不利があった。
また、監視カメラのケースは合成樹脂で形成されるため、そのデザインの自由度を確保することができるのに対して、カメラ側取付金具および天井側取付金具は強度を確保する上から金属材料で形成されるため、デザインの自由度を図る上で限界がある。
したがって、カメラ側取付金具あるいは天井側取付金具のデザインとケースのデザインとの統一感を得ることが難しく、監視カメラ装置の美観を向上させる上で不利がある。
本発明は、このような事情に鑑みなされたもので、その目的は、構成の簡素化と低コスト化を図りつつ美観を向上させる上で有利な監視カメラ装置を提供することにある。
【課題を解決するための手段】
【０００４】
上記目的を達成するために本発明は、カメラ本体と、前記カメラ本体の底部を除く箇所を覆う合成樹脂製のケースと、前記カメラ本体の底部に取着されたカメラ側取付金具とを有する監視カメラと、天井に取着される天井側取付金具を備え、前記カメラ側取付金具および前記天井側取付金具を介して前記底部を天井に向けて前記監視カメラが設置される監視カメラ装置であって、前記カメラ側取付金具は、前記カメラ本体の底部に取着される基板部と、前記基板部の外周部の周方向に間隔をおいた複数個所から屈曲し前記監視カメラのケースの下端よりも下方に突出する複数の取り付け片とを備え、前記天井側取付金具は、天井に取着される基板部と、前記基板部の外周部の周方向に間隔をおいた複数個所から屈曲し下方に突出する複数の取り付け片とを備え、前記カメラ側取付金具の複数の取り付け片と前記天井側取付金具の複数の取り付け片とがそれぞれねじで固定されて前記底部を天井に向けて前記監視カメラが天井に設置され、前記監視カメラが天井に設置された状態で、前記ケースの下端に沿って延在し前記天井と前記ケースの下端との間の隙間を閉塞する弾性変形可能な合成樹脂製の帯状のカバーが設けられ、前記カバーに前記天井側取付金具あるいは前記監視カメラに係脱可能に結合する係合部が設けられていることを特徴とする。
【発明の効果】
【０００５】
本発明の監視カメラ装置によれば、天井とケースの下端との間の隙間が合成樹脂製のカバーによって閉塞されているので、従来のように隙間を隠すための壁部をカメラ側取付金具あるいは天井側取付金具に設ける必要がなく、カメラ側取付金具および天井側取付金具の形状を簡素化できる。
また、カバーは合成樹脂製であり、このカバーにより隠されるため、カメラ側取付金具および天井側取付金具への塗装を省略できる。
また、本実施の形態では、カバーが合成樹脂製であるため、カバーのデザインとケースのデザインとの統一感を得ることができ、監視カメラ装置の美観を向上させる上で有利となる。
【発明を実施するための最良の形態】
【０００６】
以下、本発明の実施の形態を図面に基づいて詳細に説明する。
図１は監視カメラ装置１０の斜視図、図２は監視カメラ装置１０の側面図、図３は監視カメラ装置１０の背面図、図４は監視カメラ装置１０の底面図である。
図５は天井側取付金具１６、カメラ側取付金具２２、カバー３８の斜視図である。
図１乃至図５に示すように、監視カメラ装置１０は、監視カメラ１２と、天井１４に取着される天井側取付金具１６（図５参照）とを備えている。
監視カメラ１２は、カメラ本体１８と、カメラ本体１８の底部を除く箇所を覆う合成樹脂製のケース２０と、カメラ本体１８の底部に取着されたカメラ側取付金具２２（図５参照）とを有している。
【０００７】
図１乃至図４に示すように、カメラ本体１８は、下部に位置する基部２４と、基部２４の互いに対向する箇所から突設する２つの脚部２６と、それら２つの脚部２６の上端で回転可能に支持されたカメラ部２８（図２参照）とを含んで構成されている。
２つの脚部２６は、基部２４を通る第１の仮想軸Ｌ１の回りに回転可能に支持され、カメラ部２８は第１の仮想軸Ｌ１と直交する平面上を延在する第２の仮想軸Ｌ２の回りに回転可能に支持され、２つの脚部２６は基部２４に配設された不図示のモータにより回転され、カメラ部２８は２つの脚部２６のうちの一方の脚部２６に配設された不図示のモータにより回転される。
監視カメラ１２は上下を逆にして天井１４に設置され、したがって、第１の仮想軸Ｌ１は鉛直方向に延在し、第２の仮想軸Ｌ２は水平方向に延在する。
基部２４には、カメラ部２８の撮像制御や第１の仮想軸Ｌ１回りに２つの脚部２６を回転させるモータの制御、第２の仮想軸Ｌ２回りにカメラ部２８を回転させるモータの制御、カメラ部２８の撮影光学系の撮影倍率を変化させるズームモータの制御、監視カメラ装置１０の外部に設けられたホスト装置との間での通信制御などを行なう制御部が設けられている。
前記制御部は、ホスト装置から送信されるコマンドに基づいて前記の撮像制御、モータの制御などを行なう。
図３に示すように、基部２４が後方に臨む後面２４０２箇所には、前記制御部に電気的に接続される複数のコネクタが設けられている。それらコネクタは、ホスト装置とケーブルを介して接続される通信用のコネクタ２４１０、２４１２、映像信号出力用のコネクタ２４１４、電源供給用のコネクタ２４１６などである。
【０００８】
ケース２０は合成樹脂製で、ケース２０は、下部に位置する下部ケース２９と、下部ケース２９の上に位置する上部ケース３２と、カメラ部２８を収容するカメラ部収容ケース３４とを備えている。
下部ケース２９は、基部２４を収容する制御部収容ケース３０と、制御部収容ケース３０から突出しケーブルを収容するケーブル収容ケース３６とを含んでいる。
図１に示すように、制御部収容ケース３０は一部が欠損した円弧状に延在しており、この欠損された部分に上記のコネクタ２４１０、２４１２、２４１４、２４１６が配置されている。
ケーブル収容ケース３６は、制御部収容ケース３０の一部が欠損された部分に接続され、該部分から突出して設けられている。
【０００９】
上部ケース３２は、２つの脚部２６を収容する二股部を含んでいる。
上部ケース３２は制御部収容ケース３０に連続する円錐面部３２Ａと、この円錐面部３２Ａの両側から起立する起立部３２Ｂと、起立部３２Ｂの間を閉塞する円筒面状の曲面部３２Ｃを有している。
カメラ部収容ケース３４は上部ケース３２の二股部の間に位置している。
図１、図３に示すように、カメラ部収容ケース３４は両側が切り欠かれた球面状に形成され、この切り欠かれた部分を介してカメラ部２８と両側の脚部２６とが連結され、カメラ部収容ケース３４には撮影光学系を臨ませる円形の窓３４０２が形成されている。
【００１０】
図６（Ａ）はカメラ側取付金具２２の斜視図、（Ｂ）はカメラ側取付金具２２の上下を反転した斜視図である。
カメラ側取付金具２２は、カメラ本体１８の底部１８０２に取着されている。
カメラ側取付金具２２は、図４に示すように、カメラ本体１８の底部１８０２に当て付けられる基板部２２０２を備えている。
基板部２２０２は円板状を呈しその一側が切り欠かれており、基板部２２０２にはカメラ本体１８の底部１８０２のねじ孔１８０４(図４参照)にねじを螺合させるためのねじ挿通孔２２０４が複数設けられ、カメラ側取付金具２２はそれらねじ挿通孔２２０４に挿通したねじによりカメラ本体１８の底部１８０２に取着されている。
基板部２２０２の外周部の周方向に間隔をおいた３箇所には、制御部収容ケース３０の下端よりも下方に突出する取り付け片２２１０がそれぞれ屈曲形成されている。
なお、図６において、符号２２１２は、仮止め用のフックを示し、また、符合２２１４は、軽量化のための孔を示している。
【００１１】
図７（Ａ）は天井側取付金具１６の斜視図、（Ｂ）は天井側取付金具１６の上下を反転した斜視図である。
天井側取付金具１６は、円板状を呈する基板部１６０２と、基板部１６０２から垂設された屈曲板部１６０４とを有している。屈曲板部１６０４には監視カメラ１２に接続されたケーブルを通すための切り欠き１６０４Ａが形成されている。
基板部１６０２には該基板部１６０２を天井１４に取り付けるためのねじ挿通孔１６０６、および、円弧状の溝１６０８が形成され、天井側取付金具１６はそれら挿通孔１６０６、溝１６０８に挿通されたねじにより天井１４に取着されている。
また、基板部１６０２には、フック２２１２が係脱可能に係合する係合孔１６１０と、軽量化のための複数の孔１６１２と、監視カメラ１２に接続されたケーブルを通すための孔１６０３が形成されている。
基板部１６０２の外周部の周方向に間隔をおいた３箇所には、基板部が天井１４に取り付けられた状態で天井１４から下方に突出する取り付け片１６２０がそれぞれ屈曲形成されている。
また、屈曲板部１６０４の両側に位置する基板部１６０２の箇所にはそれぞれ係止片１６２２が下方に垂設されている。
【００１２】
図８（Ａ）はケーブル収容ケース３６の斜視図、（Ｂ）はケーブル収容ケース３６の上下を反転した斜視図である。
ケーブル収容ケース３６は、矩形状の上壁３６０２と、上壁３６０２の４辺のうち制御部収容ケース３０に接続される１辺を除く３辺からそれぞれ垂設された３つの側壁３６０４とを有している。
上壁３６０２のうち、制御部収容ケース３０に接続される１辺の延在方向の両側には突片３６１０が上壁３６０２と平行にそれぞれ突設され、各突片３６１０にはねじ挿通孔３６１０Ａが形成されている。
図１に示すように、３つの側壁３６０４のうち、互いに対向する２つの側壁３６０４が制御部収容ケース３０に接続される縁部の下方寄りの箇所には、図８に示すように、係合爪３６１２が側壁３６０４と平行にそれぞれ突設されている。
ケーブル収容ケース３６の下端は制御部収容ケース３０の下端よりも下方に突出しており、図２に示すように、監視カメラ１２が天井１４に設置された状態でケーブル収容ケース３６の下端は天井１４に近接又は接触するように形成されている。
したがって、監視カメラ１２が天井１４に設置された状態で、ケーブル収容ケース３６が突出された箇所を除く制御部収容ケース３０の下端周囲と天井１４との間に環状の隙間が生じ、この環状の隙間を閉塞するようにカバー３８が設けられている。
【００１３】
図９（Ａ）はカバー３８の斜視図、（Ｂ）はカバー３８の上下を反転した斜視図、図１０は天井側取付金具１６とカバー３８とケーブル収容ケース３６との連結部分の説明図である。
カバー３８は合成樹脂製で、帯状を呈し均一の幅で円弧状に延在している。本実施の形態では、カバー３８はケース２０と同一材料の合成樹脂、例えばＡＢＳで弾性変形可能に形成されている。
カバー３８は、円弧部３８０２と、円弧部３８０２の両端からそれぞれ直線状に延在する直線部３８０４とを有し、各直線部３８０４の先端には、天井側取付金具１６の係止片１６２２に係脱可能な係止壁３８１０が形成されている。
円弧部３８０２の内周部で円弧部３８０２の延在方向の中間部には、天井側取付金具１６の各取り付け片１６２０に係合することでカバー３８の延在方向における位置決めがなされる複数の凹部３８１２が形成されている。
また、各直線部３８０４には、天井側取付金具１６の基板部１６０２の係止用欠部１６２４に係脱可能な係止爪３８１４が形成されている。係止爪３８１４はその上面の凸部３８１４Ａが係止用欠部１６２４に係脱し、凸部３８１４Ａが係止用欠部１６２４に係合することで両直線部３８０４の内面が、下部ケース２９の下端外周および天井側取付金具１６の基板部１６０２の外周に密着するように形成されている。
なお、本実施の形態では、上記の係止壁３８１０および凸部３８１４Ａが特許請求の範囲の係合部に相当しているが、カバー３８の形状や弾性によっては、上記の係止壁３８１０あるいは凸部３８１４Ａの一方のみを設け他方を省略してもよく、本実施の形態のように係止壁３８１０および凸部３８１４Ａの双方を設けると、カバー３８の装着状態を保持する上で有利となる。
また、本実施の形態では、カバー３８の係合部が天井側取付金具１６に係脱する場合について説明したが、カバー３８の係合部は監視カメラ１２の部分に係脱してもよいことは無論である。
【００１４】
図１２は天井１４に監視カメラ１２が設置された状態におけるカメラ側取付金具２２、天井側取付金具１６、カバー３８、制御部収容ケース３０の位置関係を示す図である。
図１２に示すように、カバー３８の幅方向の一方の端部の内面に、カバー３８の延在方向に沿って下向きの当接面３８２０が形成され、天井１４に監視カメラ１２が設置された状態で、当接面３８２０はその全長にわたりケース２０の下端（制御部収容ケース３０の下端３０１０）に当接されるように形成されている。
また、カバー３８の幅方向の他方の端部３８２２は、天井１４に監視カメラ１２が設置された状態で、その全長にわたり天井側取付金具１６の基板部１６０２の外周縁に当接されるように形成されている。
【００１５】
図１１は制御部収容ケース３０の斜視図である。
制御部収容ケース３０の一部が欠損された部分の上縁の両端にはそれぞれ切り欠き３００２が形成され、切り欠き３００２は切り欠き３００２にヒンジを介して連結された蓋体３００４によって閉塞されるように構成されている。
基部２４が切り欠き３００２に臨む箇所には不図示のねじ孔が形成され、ケーブル収容ケース３６の上壁３６０２と３つの側壁３６０４の縁部が制御部収容ケース３０の縁部に突き合わされた状態で、図８に示すように、ケーブル収容ケース３６の各突片３６１０のねじ挿通孔３６１０Ａに挿通されたねじが前記ねじ孔に螺合することで、ケーブル収容ケース３６が基部２４に取着される。
そして、蓋体３００４によって切り欠き３００２が閉塞されることで前記ねじの頭部が隠される。
また、図１０に示すように、ケーブル収容ケース３６の各係合爪３６１２が係止爪３８１４と係止片１６２２の間に挿入されることで、カバー３８の直線部３８０４が外方に広げられても、係止爪３８１４が係合爪３６１２に係止されカバー３８が外れることを防止している。
【００１６】
次に、監視カメラ装置１０の天井１４への設置について説明する。
図５に示すように、まず、基板部１６０２を天井１４にねじ止めすることで、天井側取付金具１６を天井１４に取り付ける。
次に、監視カメラ１２の底面１８０２に基板部２２０２をねじ止めすることで、カメラ側取付金具２２を監視カメラ１２に取り付ける。
次に、監視カメラ１２に取り付けられたカメラ側取付金具２２の各フック２２１２を天井側取付金具１６の各係合孔１６１０に係合させる。
次に、カメラ側取付金具２２を周方向に動かして天井側取付金具１６の各取り付け片１６２０の内側にカメラ側取付金具２２の取り付け片２２１０が重なり合うようにする。
その状態で、取り付け片１６２０のねじ挿通孔に挿通したねじを取り付け片２２１０のねじ孔に螺合することで双方の取り付け片１６２０、２２１０を締め付け、カメラ側取付金具２２を天井側取付金具１６に取り付ける。
【００１７】
次に、カバー３８を天井１４と制御部収容ケース３０（ケース２０）の下端との隙間に装着する。
すなわち、カバー３８の凹部３８１２を天井側取付金具１６の取り付け片１６２０に係合させ、カバー３８の直線部３８０４の係止壁３８１０を天井側取付金具１６の係止片１６２２に係合させる。
これにより、カバー３８の当接面３８２０は制御部収容ケース３０の下端３０１０に当接し、かつ、カバー３８の端部３８２２は天井側取付金具１６の外周縁に当接する。
次に、ケーブル収容ケース３６を制御部収容ケース３０に取り付ける。
すなわち、ケーブル収容ケース３６の各係合爪３６１２をカバー３８の係止爪３８１４と天井側取付金具１６の係止片１６２２の間に挿入するとともに、ケーブル収容ケース３６の各突片３６１０のねじ挿通孔３６１０Ａに挿通したねじを基部２４の前記ねじ孔に螺合する。
これにより、カバー３８は天井側取付金具１６に取り付けられ、監視カメラ装置１０の天井１４への設置が完了する。
【００１８】
本実施の形態によれば、監視カメラ１２がカメラ側取付金具２２と天井側取付金具１６を介して天井１４に設置された状態で、天井１４とケース２０の下端との間の隙間が合成樹脂製のカバー３８によって閉塞されているので、従来のように前記隙間を隠すための壁部をカメラ側取付金具２２あるいは天井側取付金具１６に設ける必要がなく、カメラ側取付金具２２および天井側取付金具１６の形状を簡素化できる。
また、カメラ側取付金具２２および天井側取付金具１６にケース２０と同様の外観を呈する塗装を施す必要がない。
したがって、カバー３８によって前記隙間を隠せることは無論のこと、カバー３８が合成樹脂製で製造コストが安価であり、かつ、カメラ側取付金具２２および天井側取付金具１６の形状の簡素化を図ると共に塗装を省略できるので、従来に比較して監視カメラ装置１０の製造コストを削減する上で有利となる。
また、本実施の形態では、カバー３８とケース２０が合成樹脂製であるため、カバー３８とケース２０のデザインの自由度を確保できることから、カバー３８とケース２０のデザインの統一感を得ることができ、監視カメラ装置１０の美観を向上させる上で有利となる。
【図面の簡単な説明】
【００１９】
【図１】監視カメラ装置１０の斜視図である。
【図２】監視カメラ装置１０の側面図である。
【図３】監視カメラ装置１０の背面図である。
【図４】監視カメラ装置１０の底面図である。
【図５】天井側取付金具１６、カメラ側取付金具２２、カバー３８の斜視図である。
【図６】（Ａ）はカメラ側取付金具２２の斜視図、（Ｂ）はカメラ側取付金具２２の上下を反転した斜視図である。
【図７】（Ａ）は天井側取付金具１６の斜視図、（Ｂ）は天井側取付金具１６の上下を反転した斜視図である。
【図８】（Ａ）はケーブル収容ケース３６の斜視図、（Ｂ）はケーブル収容ケース３６の上下を反転した斜視図である。
【図９】（Ａ）はカバー３８の斜視図、（Ｂ）はカバー３８の上下を反転した斜視図である。
【図１０】天井側取付金具１６とカバー３８とケーブル収容ケース３６との連結部分の説明図である。
【図１１】制御部収容ケース３０の斜視図である。
【図１２】天井１４に監視カメラ１２が設置された状態におけるカメラ側取付金具２２、天井側取付金具１６、カバー３８、制御部収容ケース３０の位置関係を示す図である。
【符号の説明】
【００２０】
１０……監視カメラ装置、１２……監視カメラ、１６……天井側取付金具、１６２０……取り付け片、１８……カメラ本体、２０……ケース、２２……カメラ側取付金具、２２１０……取り付け片、３８……カバー。
【図１】
2007166312.tif 000003
【図２】
2007166312.tif 000004
【図３】
2007166312.tif 000005
【図４】
2007166312.tif 000006
【図５】
2007166312.tif 000007
【図６】
2007166312.tif 000008
【図７】
2007166312.tif 000009
【図８】
2007166312.tif 000010
【図９】
2007166312.tif 000011
【図１０】
2007166312.tif 000012
【図１１】
2007166312.tif 000013
【図１２】
2007166312.tif 000014